(57)【要約】【課題】授業で配布された印刷物を、より確実に授業の欠席者に配布する。【解決手段】実施形態の画像処理システムは、１以上の画像処理装置を備える画像処理システムであって、それぞれの画像処理装置は、第１の授業の出席者を示す出席者情報と、第１の授業の受講者を示す受講者情報と、から第１の授業の欠席者を示す欠席者情報を特定する特定部と、第１の授業に出席した出席者に配布される第１の印刷物を印刷する第１の出席者ジョブを生成して、第１の出席者ジョブを実行し、第１の印刷物を印刷する第１の欠席者ジョブを欠席者毎に生成するジョブ制御部と、第１の授業よりも前に行われた他の授業を出席者が欠席したときに生成された、第２の印刷物を印刷する第２の欠席者ジョブがあるか否かを確認する確認部と、を備え、ジョブ制御部は、第２の欠席者ジョブがある場合、第２の欠席者ジョブを実行する。【選択図】図２
2016173770.tif 000002
【特許請求の範囲】
【請求項１】
１以上の画像処理装置を備える画像処理システムであって、
それぞれの前記画像処理装置は、
第１の授業の出席者を示す出席者情報と、前記第１の授業の受講者を示す受講者情報と、から前記第１の授業の欠席者を示す欠席者情報を特定する特定部と、
前記第１の授業に出席した出席者に配布される第１の印刷物を印刷する第１の出席者ジョブを生成して、前記第１の出席者ジョブを実行し、前記第１の印刷物を印刷する第１の欠席者ジョブを前記欠席者毎に生成するジョブ制御部と、
前記第１の授業よりも前に行われた他の授業を前記出席者が欠席したときに生成された、第２の印刷物を印刷する第２の欠席者ジョブがあるか否かを確認する確認部と、を備え、
前記ジョブ制御部は、前記第２の欠席者ジョブがある場合、前記第２の欠席者ジョブを実行する、
画像処理システム。
【請求項２】
それぞれの前記画像処理装置は、
前記第１の授業の出席者が記載された出席簿を読み取る読取部と、
前記出席簿から前記出席者情報を認識する認識部と、
を更に備える請求項１に記載の画像処理システム。
【請求項３】
それぞれの前記画像処理装置は、
前記出席者情報から特定される出席者の人数と、前記欠席者情報から特定される欠席者の人数と、前記第１の印刷物を印刷するか否かを確認するメッセージと、を含む第１の確認画面情報を表示部に表示する表示制御部、
を更に備える請求項１又は２に記載の画像処理システム。
【請求項４】
前記表示制御部は、前記第２の欠席者ジョブがある場合、前記第２の欠席者ジョブを実行するか否かを確認するメッセージを含む第２の確認画面情報を前記表示部に表示する、
請求項３に記載の画像処理システム。
【請求項５】
前記表示制御部は、前記第１の印刷物を印刷する場合、前記第１の印刷物の原稿を受け付ける方法を選択する選択画面情報を前記表示部に表示し、
前記ジョブ制御部は、前記選択画面情報で選択された方法により受け付けられた前記原稿を使用して前記出席者ジョブと前記欠席者ジョブとを生成する、
請求項３又は４に記載の画像処理システム。
【請求項６】
それぞれの前記画像処理装置は、
前記第１の出席者ジョブ及び前記第２の欠席者ジョブの少なくとも一方に、自装置にない印刷設定が含まれている場合、それぞれの前記画像処理装置の性能を示す性能情報から、前記印刷設定を使用可能な１以上の第２の画像処理装置を検索する検索部を更に備え、
前記表示制御部は、前記１以上の第２の画像処理装置が、前記検索部により検索された場合、前記１以上の第２の画像処理装置のそれぞれを特定する第２の画像処理装置情報を前記表示部に表示し、
前記表示部で選択された前記第２の画像処理装置情報により特定される前記第２の画像処理装置に、前記第１の出席者ジョブ及び前記第２の欠席者ジョブの少なくとも一方を送信することにより、前記表示部で選択された前記第２の画像処理装置情報により特定される前記第２の画像処理装置の前記ジョブ制御部に、前記第１の出席者ジョブ及び前記第２の欠席者ジョブの少なくとも一方を実行させる通信部を更に備える、
請求項３乃至５のいずれか１項に記載の画像処理システム。
【請求項７】
前記第１の印刷物及び前記第２の印刷物の少なくとも一方が印刷された画像処理装置を特定する前記画像処理装置情報を受信する端末を更に備え、
前記通信部は、前記表示部で選択された画像処理装置情報により特定される画像処理装置に、前記第１の出席者ジョブ及び前記第２の欠席者ジョブの少なくとも一方が、前記ジョブ制御部により送信されたときに、送信先の前記画像処理装置を示す前記画像処理装置情報を、前記端末に送信する、
請求項６に記載の画像処理システム。
【請求項８】
前記授業が行われる時間を示す時間特定情報と、前記授業を特定する授業特定情報と、前記授業に使用される前記画像処理装置の場所を特定する場所特定情報と、前記授業の講師が所持する前記端末を特定する端末情報と、を有する時間割情報を、前記受講者毎に記憶する記憶部を更に備え、
前記検索部は、前記第１の出席者ジョブ及び前記第２の欠席者ジョブの少なくとも一方に、自装置にない印刷設定が含まれている場合、
前記印刷設定を使用可能な１以上の第２の画像処理装置を、前記性能情報から検索し、前記出席者情報が示す前記出席者毎に、前記第１の授業が行われる第１の時間を、前記授業特定情報と、前記時間特定情報とから特定し、前記第１の時間から所定の時間内に前記出席者が出席する予定の第２の授業に使用される前記画像処理装置を、前記場所特定情報から特定し、前記印刷設定を使用可能な１以上の第２の画像処理装置に、前記第２の授業に使用される画像処理装置が含まれている場合、前記第２の授業を行う前記講師が所持する端末を、前記端末情報から特定し、
前記通信部は、前記第２の授業に使用される前記画像処理装置を示す前記第２の画像処理装置情報が選択された場合、前記端末情報により特定される前記講師が所持する端末に、前記出席者に配布される前記第１の印刷物、及び、前記出席者に配布される前記第２の印刷物の少なくとも一方が、前記第２の授業に使用される前記第２の画像処理装置に印刷されることを通知する、
請求項７に記載の画像処理システム。
【請求項９】
サーバ装置と、１以上の画像処理装置と、を備える画像処理システムであって、
それぞれの前記画像処理装置は、
第１の授業の出席者を示す出席者情報と、前記第１の授業の受講者を示す受講者情報と、から前記第１の授業の欠席者を示す欠席者情報を特定する特定部と、
前記第１の授業に出席した出席者に配布される第１の印刷物を印刷する第１の出席者ジョブを生成して、前記第１の出席者ジョブを実行し、前記第１の印刷物を印刷する第１の欠席者ジョブを前記欠席者毎に生成して、前記第１の欠席者ジョブを前記サーバ装置に記憶するジョブ制御部と、
前記第１の授業よりも前に行われた他の授業を前記出席者が欠席したときに生成された、第２の印刷物を印刷する第２の欠席者ジョブが、前記サーバ装置にあるか否かを確認する確認部と、を備え、
前記ジョブ制御部は、前記第２の欠席者ジョブがある場合、前記第２の欠席者ジョブを実行する、
画像処理システム。
【請求項１０】
特定部が、第１の授業の出席者を示す出席者情報と、前記第１の授業の受講者を示す受講者情報と、から前記第１の授業の欠席者を示す欠席者情報を特定するステップと、
ジョブ制御部が、前記第１の授業に出席した出席者に配布される第１の印刷物を印刷する第１の出席者ジョブを生成するステップと、
ジョブ制御部が、前記第１の出席者ジョブを実行するステップと、
ジョブ制御部が、前記第１の印刷物を印刷する第１の欠席者ジョブを前記欠席者毎に生成するステップと、
確認部が、前記第１の授業よりも前に行われた他の授業を前記出席者が欠席したときに生成された、第２の印刷物を印刷する第２の欠席者ジョブがあるか否かを確認するステップと、
ジョブ制御部が、前記第２の欠席者ジョブがある場合、前記第２の欠席者ジョブを実行するステップと、
を含む画像処理方法。
【請求項１１】
画像処理装置を、
第１の授業の出席者を示す出席者情報と、前記第１の授業の受講者を示す受講者情報と、から前記第１の授業の欠席者を示す欠席者情報を特定する特定部と、
前記第１の授業に出席した出席者に配布される第１の印刷物を印刷する第１の出席者ジョブを生成して、前記第１の出席者ジョブを実行し、前記第１の印刷物を印刷する第１の欠席者ジョブを前記欠席者毎に生成するジョブ制御部と、
前記第１の授業よりも前に行われた他の授業を前記出席者が欠席したときに生成された、第２の印刷物を印刷する第２の欠席者ジョブがあるか否かを確認する確認部として機能させ、
前記ジョブ制御部は、前記第２の欠席者ジョブがある場合、前記第２の欠席者ジョブを実行する、
プログラム。
【発明の詳細な説明】
【技術分野】
【０００１】
本発明は画像処理システム、画像処理方法及びプログラムに関する。
【背景技術】
【０００２】
学校等の教育現場で行われる授業を欠席した場合に、欠席者の学業等の遅れを軽減する技術が既に知られている。例えば欠席した授業に関連する印刷物等を、欠席者に配布するネットワークシステム等が知られている。
【０００３】
また特許文献１には、例えば授業等の出席状況に従って、欠席者にスキャンチケットを発行することにより、文書の提出を容易にするスキャンデータ処理システムの発明が開示されている。
【発明の概要】
【発明が解決しようとする課題】
【０００４】
しかしながら従来の技術では、授業で配布された印刷物を、授業の欠席者に確実に配布することが難しかった。
【０００５】
本発明は、上記に鑑みてなされたものであって、授業で配布された印刷物を、より確実に授業の欠席者に配布することを目的とする。
【課題を解決するための手段】
【０００６】
上述した課題を解決し、目的を達成するために、本発明は、１以上の画像処理装置を備える画像処理システムであって、それぞれの前記画像処理装置は、第１の授業の出席者を示す出席者情報と、前記第１の授業の受講者を示す受講者情報と、から前記第１の授業の欠席者を示す欠席者情報を特定する特定部と、前記第１の授業に出席した出席者に配布される第１の印刷物を印刷する第１の出席者ジョブを生成して、前記第１の出席者ジョブを実行し、前記第１の印刷物を印刷する第１の欠席者ジョブを前記欠席者毎に生成するジョブ制御部と、前記第１の授業よりも前に行われた他の授業を前記出席者が欠席したときに生成された、第２の印刷物を印刷する第２の欠席者ジョブがあるか否かを確認する確認部と、を備え、前記ジョブ制御部は、前記第２の欠席者ジョブがある場合、前記第２の欠席者ジョブを実行する。
【発明の効果】
【０００７】
本発明によれば、授業で配布された印刷物を、より確実に授業の欠席者に配布することができるという効果を奏する。
【図面の簡単な説明】
【０００８】
【図１】図１は第１実施形態の画像処理システムの構成の例を示す図である。
【図２】図２は第１実施形態の画像処理装置の機能構成の例を示す図である。
【図３】図３は第１実施形態の印刷モード選択画面情報の例を示す図である。
【図４】図４は第１実施形態の出席簿読取画面情報の例を示す図である。
【図５】図５は第１実施形態の第１の確認画面情報の例を示す図である。
【図６】図６は第１実施形態の印刷方法選択画面情報の例を示す図である。
【図７】図７は第１実施形態の原稿読取画面情報の例を示す図である。
【図８】図８は第１実施形態の第２の確認画面情報の例を示す図である。
【図９】図９は第１実施形態の画像処理装置選択画面情報の例を示す図である。
【図１０】図１０は第１実施形態の端末の機能構成の例を示す図である。
【図１１】図１１は第１実施形態の出席印刷モードに係る画像処理方法の例を示すフローチャートである。
【図１２】図１２は第２実施形態の画像処理システムの構成の例を示す図である。
【図１３】図１３は第２実施形態のサーバ装置の機能構成の例を示す図である。
【図１４】図１４は第２実施形態の画像処理方法の第１の例を示すシーケンス図である。
【図１５】図１５は第２実施形態の画像処理方法の第２の例を示すシーケンス図である。
【図１６】図１６は第１及び第２実施形態の画像処理装置のハードウェア構成の例を示す図である。
【図１７】図１７は第１及び第２実施形態の端末及びサーバ装置のハードウェア構成の例を示す図である。
【発明を実施するための形態】
【０００９】
以下に添付図面を参照して、画像処理システム、画像処理方法及びプログラムの実施形態を詳細に説明する。
【００１０】
（第１実施形態）
はじめに第１実施形態の画像処理システムの構成の例について説明する。
【００１１】
図１は第１実施形態の画像処理システム１００の構成の例を示す図である。第１実施形態の画像処理システム１００は、画像処理装置１０−１、画像処理装置１０−２、・・・、及び画像処理装置１０−Ｎ（Ｎは１以上の整数）、並びに、端末２０−１、端末２０−２、・・・、及び端末２０−Ｓ（Ｓは１以上の整数）を備える。
【００１２】
画像処理装置１０−１、画像処理装置１０−２、・・・、及び画像処理装置１０−Ｎ（Ｎは２以上の整数）、並びに、端末２０−１、端末２０−２、・・・、及び端末２０−Ｓ（Ｓは２以上の整数）は、ネットワーク５０を介して接続されている。ネットワーク５０の通信方式は、有線方式でも無線方式でもよく、また有線方式と無線方式とが組み合わされた通信方式でもよい。
【００１３】
以下、画像処理装置１０−１、画像処理装置１０−２、・・・、及び画像処理装置１０−Ｎを区別しない場合、単に画像処理装置１０という。同様に、端末２０−１、端末２０−２、・・・、及び端末２０−Ｓを区別しない場合、単に端末２０という。
【００１４】
第１実施形態の画像処理システム１００は、学校等の教育現場で実施される。それぞれの画像処理装置１０は、授業が行われる各教室等に設置される。画像処理装置１０は、例えばＭＦＰ（Ｍｕｌｔｉｆｕｎｃｔｉｏｎ  Ｐｅｒｉｐｈｅｒａｌ）及びプリンタ等である。
【００１５】
それぞれの画像処理装置１０は、親機又は子機として動作する。第１実施形態の説明では、画像処理装置１０−１を親機とし、画像処理装置１０−２、・・・、及び画像処理装置１０−Ｎを子機として説明する。親機として設定された画像処理装置１０−１は、自装置での印刷機能の他に、画像処理システム１００を統括する役割を持つ。例えば画像処理システム１００全体で参照される情報は、親機として設定された画像処理装置１０−１に記憶される。画像処理システム１００全体で参照される情報は、例えば受講者情報、性能情報及び時間割情報等である。受講者情報、性能情報及び時間割情報の説明は後述する。また子機として設定された画像処理装置１０−２、・・・、及び画像処理装置１０−Ｎのそれぞれの使用可能な印刷設定等の性能は異なっていてもよい。
【００１６】
また端末２０のそれぞれは、授業を行う講師、又は、授業を受講する受講者が所持する。端末２０は、例えばスマートデバイス及びパーソナルコンピュータ等である。
【００１７】
次に第１実施形態の画像処理装置１０の機能構成の例について説明する。
【００１８】
図２は第１実施形態の画像処理装置１０の機能構成の例を示す図である。第１実施形態の画像処理装置１０は、記憶部１０１、表示制御部１０２、表示部１０３、読取部１０４、認識部１０５、特定部１０６、ジョブ制御部１０７、確認部１０８、検索部１０９、通信部１１０及び印刷部１１１を備える。
【００１９】
記憶部１０１は、印刷に係る自装置のデフォルト設定、及び、画像処理装置１０で実行されるプログラム等の情報を記憶する。親機として設定されている画像処理装置１０−１は、更に、受講者情報、性能情報及び時間割情報等の画像処理システム１００全体で参照される情報も記憶する。
【００２０】
表１は第１実施形態の受講者情報の例を示す表である。
【００２１】
【表１】
2016173770.tif 000003
【００２２】
受講者情報は、授業毎に親機（第１実施形態の説明では、画像処理装置１０−１）の記憶部１０１に記憶される。受講者情報は、授業を特定する情報と、当該授業の受講者を特定する情報と、当該受講者が所持する端末２０を特定する情報を有する。表１の例では、授業を特定する情報は授業名であり、授業の受講者を特定する情報は受講者氏名であり、受講者が所持する端末２０を特定する情報は端末アドレスである。端末アドレスは、例えば受講者の所持する端末２０で受信可能なメールアドレスである。表１の例は、物理学の授業の受講者Ａ〜Ｚの２６人の受講者氏名と、当該受講者それぞれのメールアドレスを示す。
【００２３】
表２は第１実施形態の性能情報の例を示す表である。
【００２４】
【表２】
2016173770.tif 000004
【００２５】
性能情報は、装置名、Ａ３サイズ、Ａ４サイズ、カラー、両面、場所及び装置アドレスを示す項目を有する。装置名の項目は、画像処理装置１０の名称を示す。Ａ３サイズの項目は、Ａ３サイズで印刷可能であるか否かを示す。Ａ４サイズの項目は、Ａ４サイズで印刷可能であるか否かを示す。カラーの項目は、カラー印刷が可能であるか否かを示す。両面の項目は、両面印刷が可能であるか否かを示す。場所の項目は、画像処理装置１０が設置されている場所を示す。装置アドレスの項目は、画像処理装置１０をネットワーク５０で特定する情報を示す。画像処理装置１０をネットワーク５０で特定する情報は、例えばＩＰアドレスである。
【００２６】
例えば画像処理装置１０の名称がプリンタＡの場合、Ａ３サイズの印刷が不可であり、Ａ４サイズの印刷が可能であり、カラー印刷が可能であり、両面印刷が不可であり、設置場所がＡ棟１Ｆにある教室Ｂであり、ＩＰアドレスが１２３．４５６．７８９．ａａａであることを示す。
【００２７】
なお性能情報に記憶される性能は、印刷用紙サイズ、カラー印刷及び両面印刷に関する性能に限らず任意でよい。例えば性能情報に、印刷速度（ＰＰＭ：Ｐａｇｅ  Ｐｅｒ  Ｍｉｎｕｔｅ）、及び、ＯＣＲ機能の有無等を記憶してもよい。
【００２８】
表３は第１実施形態の時間割情報の例を示す表である。
【００２９】
【表３】
2016173770.tif 000005
【００３０】
時間割情報は、受講者毎に親機（第１実施形態の説明では、画像処理装置１０−１）の記憶部１０１に記憶される。時間割情報は、時間（時間特定情報）、授業名（授業特定情報）、場所（場所特定情報）、講師名（講師特定情報）、及び、端末アドレスを示す項目を有する。時間の項目は、授業が行われる曜日、授業の開始時間及び授業の終了時間を示す。授業名の項目は、授業の名称を示す。場所の項目は、授業が行われる場所を示す。講師名の項目は、授業を行う講師の氏名を示す。端末アドレスは、講師が所持する端末２０のアドレスを示す。端末アドレスは、例えば端末２０で受信可能なメールアドレスである。
【００３１】
図２に戻り、表示制御部１０２は、印刷モードを選択する印刷モード選択画面情報を、液晶タッチパネル等の表示部１０３に表示する。
【００３２】
図３は第１実施形態の印刷モード選択画面情報の例を示す図である。図３の例は、出席印刷モード、全員印刷モード及び部数指定モードの３種類の印刷モードを選択可能な場合を示す。出席印刷モードは、授業の出席者の人数分の印刷物を印刷するモードである。全員印刷モードは、授業の受講者の人数分の印刷物を印刷するモードである。部数指定モードは、指定された部数の印刷物を印刷するモードである。
【００３３】
なお出席印刷モード及び全員印刷モードで、印刷される印刷物の枚数を任意にしてもよい。例えば出席印刷モードで部数を指定可能にすることにより、出席者の人数×指定部数の印刷を行えるようにしてもよい。
【００３４】
画像処理装置１０は、印刷モード選択画面情報で選択された印刷モードで印刷処理を進める。まず印刷モード選択画面情報（図３参照）で出席印刷モードが選択された場合について説明する。
【００３５】
＜出席印刷モードの場合＞
表示制御部１０２は、授業の授業名と、当該授業の出席者と、が記載された出席簿を、読取部１０４に設置することを促すメッセージを含む出席簿読取画面情報を表示部１０３に表示する。出席簿は、例えば出席者の氏名が手書きで記載された紙面、及び、出席したことを示す丸印等が付与された受講者の名簿等である。
【００３６】
図４は第１実施形態の出席簿読取画面情報の例を示す図である。表示制御部１０２は、「戻る」が押下された場合、もう一度、印刷モード選択画面情報を表示部１０３に表示し、「スキャン」が押下された場合、読取部１０４に出席簿の読み取りの開始要求を入力する。
【００３７】
図２に戻り、読取部１０４は、表示制御部１０２から出席簿の読み取りの開始要求を受け付けると、出席簿をイメージデータとして読み取る。読取部１０４は、出席簿をイメージデータとして読み取ると、当該イメージデータを認識部１０５に入力する。
【００３８】
認識部１０５は、読取部１０４から出席簿のイメージデータを受け付けると、当該イメージデータから授業名と出席者とを示す出席者情報を認識する。認識部１０５は、例えばＯＣＲ（Ｏｐｔｉｃａｌ  Ｃｈａｒａｃｔｅｒ  Ｒｅａｄｅｒ）処理により、イメージデータから出席者情報を認識する。認識部１０５は出席者情報を特定部１０６に入力する。
【００３９】
表４は第１実施形態の出席者情報の例を示す表である。
【００４０】
【表４】
2016173770.tif 000006
【００４１】
出席者情報は、授業を特定する情報と、出席者を特定する情報とを有する。出席者情報は、出席簿（授業）毎に作成される。表４の例では、授業を特定する情報は授業名であり、出席者を特定する情報は出席者氏名である。表４の例は、物理学の授業に受講者Ａ〜Ｗの２３人が出席したことを示す。
【００４２】
図２に戻り、特定部１０６は、認識部１０５から出席者情報を受け付けると、出席者情報から授業名を取得し、当該授業名により特定される授業の受講者情報を記憶部１０１から取得する。画像処理装置１０が親機である場合（実施形態の説明では、画像処理装置１０−１）は、自装置の記憶部１０１から受講者情報を取得し、画像処理装置１０が子機である場合（実施形態の説明では、画像処理装置１０−２乃至画像処理装置１０−Ｎ）は、親機の記憶部１０１から受講者情報を取得する。そして特定部１０６は、受講者情報の受講者氏名と、出席者情報の出席者氏名と、を比較することにより、当該授業の欠席者を示す欠席者情報を特定する。
【００４３】
【表５】
2016173770.tif 000007
【００４４】
表５は第１実施形態の欠席者情報の例を示す表である。欠席者情報は、授業を特定する情報と、欠席者を特定する情報とを有する。欠席者情報は、出席簿（授業）毎に作成される。表５の例では、授業を特定する情報は授業名であり、欠席者を特定する情報は欠席者氏名である。表５の例は、物理学の授業に受講者Ｘ，Ｙ及びＺの３人が欠席したことを示す。
【００４５】
図２に戻り、特定部１０６は出席者情報と欠席者情報とを表示制御部１０２に入力する。表示制御部１０２は、特定部１０６から出席者情報と欠席者情報とを受け付ける。そして表示制御部１０２は、出席者情報から特定される出席者の人数と、欠席者情報から特定される欠席者の人数と、出席者の人数分の印刷物（第１の印刷物に相当）を印刷するか否かを確認するメッセージと、を含む第１の確認画面情報を表示部１０３に表示する。
【００４６】
図５は第１実施形態の第１の確認画面情報の例を示す図である。図５の例は、出席者情報から特定された出席者が２３人で、欠席者情報から特定された欠席者が３人で、出席者の人数分の２３枚の印刷物を印刷するか否かを確認するメッセージを含む場合を示す。表示制御部１０２は、「変更」が押下された場合、部数指定モードの初期画面情報を表示部１０３に表示し、「ＯＫ」が押下された場合、印刷方法選択画面情報を表示部１０３に表示する。部数指定モードの動作の説明については後述する。
【００４７】
図６は第１実施形態の印刷方法選択画面情報の例を示す図である。表示制御部１０２は「コピー：原稿セット」が押下された場合、原稿読取画面情報を表示部１０３に表示し、「プリント：データ選択」が押下された場合、電子データの原稿を特定する情報を受け付ける原稿データ指定画面情報を表示する。
【００４８】
原稿データ指定画面情報は、例えば電子データの原稿を記憶するパーソナルコンピュータ等を特定する情報（ＩＰアドレス等）と、当該パーソナルコンピュータで記憶されている電子データの原稿の場所を示す情報（ディレクトリ等）と、当該電子データの原稿を特定する情報（データ名等）と、を指定する画面情報である。
【００４９】
以下の説明では、「コピー：原稿セット」が押下された場合について説明し、「プリント：データ選択」が押下された場合の説明については、印刷物の原稿の取得方法以外の動作に差異はないため省略する。なお「プリント：データ選択」が押下された場合は、通信部１１０が、指定された場所（例えば装置のＩＰアドレス、ディレクトリ及びデータ名）から電子データの原稿を取得する。
【００５０】
図７は第１実施形態の原稿読取画面情報の例を示す図である。表示制御部１０２は「戻る」が押下された場合、もう一度、印刷方法選択画面情報を表示部１０３に表示する。
【００５１】
表示制御部１０２は、「設定」が押下された場合、印刷用紙サイズ、カラー印刷及び両面印刷等の印刷設定を変更する印刷設定画面情報を表示部１０３に表示し、画像処理システム１００のユーザにより変更された印刷設定を受け付ける。このとき表示制御部１０２は、画像処理システム１００のいずれかの画像処理装置１０で使用できる印刷設定であれば、自装置で使用できない印刷設定であっても、当該印刷設定を設定可能とする。
【００５２】
表示制御部１０２は、「印刷」が押下された場合、読取部１０４に原稿の読み取りの開始要求を入力する。読取部１０４は、表示制御部１０２から原稿の読み取りの開始要求を受け付けると、原稿をイメージデータとして読み取る。読取部１０４は、画像処理装置１０のデフォルトの印刷設定、又は、画像処理システム１００のユーザにより変更された印刷設定、が使用された当該イメージデータの印刷を行うための出席者ジョブの生成要求を、ジョブ制御部１０７に入力する。
【００５３】
図２に戻り、ジョブ制御部１０７は、表示制御部１０２から出席者ジョブの生成要求を受け付けると、授業に出席した出席者に配布される印刷物を印刷する出席者ジョブを生成する。ジョブ制御部１０７は、例えば印刷物を出席者の人数分、印刷する出席者ジョブを生成する。
【００５４】
またジョブ制御部１０７は、欠席者の印刷物を印刷する欠席者ジョブを欠席者毎に生成し、当該欠席者ジョブを記憶部１０１に記憶することにより、当該欠席者ジョブを保持する。例えば特定部１０６により表５の欠席者情報が特定されていた場合、ジョブ制御部１０７は、受講者Ｘの印刷物を印刷する欠席者ジョブと、受講者Ｙの印刷物を印刷する欠席者ジョブと、受講者Ｚの印刷物を印刷する欠席者ジョブと、を生成する。当該欠席者ジョブは、自装置が親機である場合（実施形態の説明では、画像処理装置１０−１）は、自装置の記憶部１０１に記憶され、自装置が子機である場合（実施形態の説明では、画像処理装置１０−２乃至画像処理装置１０−Ｎ）は、親機の記憶部１０１に記憶される。
【００５５】
確認部１０８は、記憶部１０１を検索することにより、出席者が他の授業を欠席したときに生成された欠席者ジョブがあるか否かを確認する。なお確認部１０８は、自装置が子機である場合、通信部１１０を介して親機の記憶部１０１を検索する。出席者が他の授業を欠席したときに生成された欠席者ジョブがあることが、確認部１０８により確認された場合、表示制御部１０２は、出席者が他の授業を欠席したときに配布された印刷物（第２の印刷物に相当）を印刷するか否かを確認する第２の確認画面情報を表示部１０３に表示する。
【００５６】
図８は第１実施形態の第２の確認画面情報の例を示す図である。図８の例は、受講者Ａが他の授業を欠席したときに、配布されていた印刷物がある場合を示す。表示制御部１０２は、「印刷する」が押下された場合、他の授業を欠席したときに生成された欠席者ジョブの実行要求をジョブ制御部１０７に入力する。表示制御部１０２は、「印刷しない」が押下された場合、他の授業を欠席したときに生成された欠席者ジョブの実行要求をジョブ制御部１０７に入力しない。
【００５７】
図２に戻り、ジョブ制御部１０７は、出席者ジョブ、及び、他の授業の欠席者ジョブの少なくとも一方に、自装置で使用できない印刷設定が含まれている場合、当該印刷設定を使用可能な他の画像処理装置１０の検索要求を、ジョブ毎に検索部１０９に入力する。
【００５８】
検索部１０９は、ジョブ制御部１０７から、自装置で使用できない印刷設定を使用可能な画像処理装置１０の検索要求を、ジョブ毎に受け付けると、自装置で使用できない印刷設定を使用可能な１以上の画像処理装置１０を、性能情報（表２参照）から検索する。そして検索部１０９は、検索された当該１以上の画像処理装置１０のそれぞれを特定する画像処理装置情報を、表示制御部１０２に入力する。画像処理装置情報は、例えば画像処理装置１０の装置名、画像処理装置１０の場所、及び、画像処理装置１０の装置アドレスである。
【００５９】
表示制御部１０２は、検索部１０９から、１以上の画像処理装置１０のそれぞれを特定する画像処理装置情報を受け付けると、当該画像処理装置情報を含む画像処理装置選択画面情報を表示部１０３に表示する。
【００６０】
図９は第１実施形態の画像処理装置選択画面情報の例を示す図である。図９の例は、自装置で使用できない印刷設定を使用できる画像処理装置１０が、検索部１０９により２つ検索された場合を示す。なお表示制御部１０２は、印刷ジョブ毎に画像処理装置選択画面情報を表示部１０３に表示する。表示制御部１０２は、「戻る」が押下された場合、もう一度、原稿読取画面情報（図７参照）を表示部１０３に表示する。表示制御部１０２は、カーソル等により表示部１０３で画像処理装置情報が選択された状態で、「印刷」が押下された場合、選択された画像処理装置情報を通信部１１０に入力する。
【００６１】
図２に戻り、通信部１１０は、表示制御部１０２から画像処理装置情報を受け付けると、自装置で使用できない印刷設定を含むジョブ（出席者ジョブ、及び、他の授業の欠席者ジョブの少なくとも一方）を、画像処理装置情報に含まれる装置アドレスに送信する。また通信部１１０は、当該ジョブの送信先の画像処理装置１０から、当該ジョブの実行によって印刷される印刷物を取得する受講者が所持する端末２０に、画像処理装置情報を送信する。これにより受講者に、印刷物が印刷される画像処理装置１０の装置名及び場所を通知する。
【００６２】
印刷部１１１は出席者ジョブに基づいて印刷物を印刷する。また印刷部１１１は、出席者が欠席した他の授業の印刷物を印刷する場合、出席者が欠席した他の授業の欠席者ジョブに基づいて当該印刷物を印刷する。
【００６３】
なお通信部１１０は、当該ジョブの実行によって印刷される印刷物を印刷する画像処理装置１０がある場所で授業を行う講師が所持する端末２０に、画像処理装置情報を送信してもよい。これにより講師に、印刷物が印刷される画像処理装置１０の装置名及び場所を通知してもよい。
【００６４】
この場合、例えば検索部１０９は、出席者ジョブ、及び、出席者が欠席した他の授業の欠席者ジョブの少なくとも一方に、自装置にない印刷設定が含まれている場合に、印刷設定を使用可能な１以上の画像処理装置１０を、性能情報（表２参照）から検索する。
【００６５】
更に、検索部１０９は、出席者情報が示す出席者毎に、今、出席者が出席している授業（第１の授業）が行われる第１の時間を、時間割情報（表３参照）の授業特定情報と、時間特定情報とから特定する。検索部１０９は、第１の時間から所定の時間内に出席者が出席する予定の授業（第２の授業）に使用される画像処理装置１０を、時間割情報の場所特定情報から特定する。検索部１０９は、印刷設定を使用可能な１以上の画像処理装置１０に、第２の授業に使用される画像処理装置１０が含まれている場合、第２の授業を行う講師が所持する端末を、時間割情報の端末情報から特定する。
【００６６】
なお所定の時間は任意でよい。例えば所定の時間を、出席者が次に受講予定の授業、及び、出席者がその日のうちに受講予定の授業等を特定できるように指定してもよい。
【００６７】
次に通信部１１０は、第２の授業に使用される画像処理装置１０を示す画像処理装置情報が表示部１０３で選択された場合、検索部１０９により特定された端末情報により特定される講師が所持する端末２０に、授業の出席者に配布される印刷物、及び、出席者が他の授業を欠席したときに配布されていた印刷物の少なくとも一方が、当該講師の授業に使用される画像処理装置１０に印刷されることを通知する。これにより講師に、印刷物が印刷される画像処理装置１０の装置名及び場所を通知する。
【００６８】
次に印刷モード選択画面情報（図３参照）で全員印刷モードが選択された場合について説明する。
【００６９】
＜全員印刷モードの場合＞
印刷部１１１は、上述の受講者情報から特定される受講者の人数分の印刷物を印刷する。なお印刷方法を選択する動作、及び、自装置で印刷できない印刷設定がある場合の動作は、上述の出席印刷モードの場合と同様なので説明を省略する。
【００７０】
次に印刷モード選択画面情報（図３参照）で部数指定モードが選択された場合について説明する。
【００７１】
＜部数指定モードの場合＞
表示制御部１０２は、印刷物の部数を受け付ける部数受付画面情報を表示部１０３に表示する。そして印刷部１１１は、表示部１０３で受け付けられた部数分の印刷物を印刷する。なお印刷方法を選択する動作、及び、自装置で印刷できない印刷設定がある場合の動作は、上述の出席印刷モードの場合と同様なので説明を省略する。
【００７２】
次に第１実施形態の端末２０の機能構成の例について説明する。
【００７３】
図１０は第１実施形態の端末２０の機能構成の例を示す図である。第１実施形態の端末２０は、記憶部２０１、通信部２０２、表示部２０３及び入力部２０４を備える。記憶部２０１は端末２０で実行されるプログラム等を記憶する。通信部２０２は、ネットワーク５０に接続された他の装置と通信する。通信部２０２は、例えば画像処理装置１０から、印刷物が印刷された画像処理装置１０を特定する画像処理装置情報を受信する。表示部２０３は情報を表示する。表示部２０３は、例えば通信部２０２が、画像処理装置１０から画像処理装置情報を受信したときに、当該画像処理装置情報を表示する。入力部２０４は、端末２０の操作を示す入力を受け付ける。
【００７４】
次に第１実施形態の出席印刷モードに係る画像処理方法について説明する。
【００７５】
図１１は第１実施形態の出席印刷モードに係る画像処理方法の例を示すフローチャートである。はじめに、読取部１０４が、出席簿をイメージデータとして読み取る（ステップＳ１）。次に、認識部１０５は、読取部１０４から出席簿のイメージデータを受け付けると、当該イメージデータから授業名と出席者とを示す出席者情報（表４参照）を認識する（ステップＳ２）。次に、特定部１０６が、出席者情報から授業名を取得し、当該授業名により特定される授業の受講者情報（表１参照）を、親機（第１実施形態の説明では、画像処理装置１０−１）の記憶部１０１から取得する（ステップＳ３）。次に、特定部１０６が、受講者情報の受講者氏名と、出席者情報の出席者氏名と、を比較することにより、当該授業の欠席者を示す欠席者情報（表５参照）を特定する（ステップＳ４）。
【００７６】
次に、表示制御部１０２が、出席者情報から特定される出席者の人数と、欠席者情報から特定される欠席者の人数と、出席者の人数分の印刷物を印刷するか否かを確認するメッセージと、を含む第１の確認画面情報（図５参照）を表示部１０３に表示する（ステップＳ５）。
【００７７】
次に、第１の確認画面情報で「ＯＫ」が押下された場合、表示制御部１０２が、印刷モード選択画面情報（図６参照）を表示部１０３に表示することにより、印刷方法の選択を受け付ける（ステップＳ６）。コピーの場合（ステップＳ６、コピー）、表示制御部１０２が、原稿読取画面情報（図７参照）を表示部１０３に表示する（ステップＳ７）。プリントの場合（ステップＳ６、プリント）、表示制御部１０２が、原稿データ指定画面情報を表示部１０３に表示する（ステップＳ８）。
【００７８】
次に、表示制御部１０２が、表示部１０３で印刷設定の指定を受け付ける（ステップＳ９）。なお表示部１０３で印刷設定が指定されなかった場合、画像処理装置１０のデフォルトの印刷設定が原稿の印刷に使用される。
【００７９】
次に、ジョブ制御部１０７が、印刷物を出席者の人数分、印刷する出席者ジョブを生成し、欠席者の印刷物を印刷する欠席者ジョブを欠席者毎に生成する（ステップＳ１０）。具体的には、ジョブ制御部１０７は、コピーの場合、読取部１０４により紙面等の記録媒体から読み取られたイメージデータを使用して、出席者ジョブ及び欠席者ジョブを生成する。またジョブ制御部１０７は、プリントの場合、表示部１０３で指定された場所（例えば装置のＩＰアドレス、ディレクトリ及びデータ名）から、通信部１１０により取得された電子データを使用して、出席者ジョブ及び欠席者ジョブを生成する。
【００８０】
次に、ジョブ制御部１０７が、欠席者ジョブを親機（第１実施形態の説明では、画像処理装置１０−１）の記憶部１０１に記憶することにより、当該欠席者ジョブを保持する（ステップＳ１１）。
【００８１】
次に、確認部１０８が、親機の記憶部１０１を検索することにより、出席者が他の授業を欠席したときに生成された欠席者ジョブがあるか否かを確認する（ステップＳ１２）。他の授業の欠席者ジョブがない場合（ステップＳ１２、Ｎｏ）、処理はステップＳ１５に進む。
【００８２】
他の授業の欠席者ジョブがある場合（ステップＳ１２、Ｙｅｓ）、表示制御部１０２が、出席者が他の授業を欠席したときに配布された印刷物を印刷するか否かを確認する第２の確認画面情報（図８参照）を表示部１０３に表示し、当該印刷物を印刷するか否かを確認する（ステップＳ１３）。印刷する場合（ステップＳ１３、Ｙｅｓ）、ジョブ制御部１０７が、他の授業の欠席者ジョブを記憶部１０１から取得する（ステップＳ１４）。印刷しない場合（ステップＳ１３、Ｎｏ）、処理はステップＳ１５に進む。
【００８３】
ジョブ制御部１０７が、自装置で使用できない印刷設定が含まれているか否かをジョブ毎に判定する（ステップＳ１５）。
【００８４】
判定対象のジョブに、自装置で使用できない印刷設定がある場合（ステップＳ１５、Ｙｅｓ）、検索部１０９が、自装置で使用できない印刷設定を使用可能な１以上の画像処理装置１０を、性能情報（表２参照）から検索する（ステップＳ１６）。次に、表示制御部１０２が、画像処理装置選択画面情報（図９参照）を表示部１０３に表示し、通信部１１０が、出席者ジョブ、又は、出席者が欠席した他の授業の欠席者ジョブを、画像処理装置選択画面情報で選択された画像処理装置１０に送信することにより、他の画像処理装置１０で印刷物を印刷する（ステップＳ１７）。次に、通信部１１０が、当該ジョブの送信先の画像処理装置１０で当該ジョブが実行されることによって印刷される印刷物を受け取る受講者の端末２０に、当該送信先の画像処理装置１０を特定する画像処理装置情報を送信する（ステップＳ１８）。
【００８５】
判定対象のジョブに、自装置で使用できない印刷設定がない場合（ステップＳ１５、Ｎｏ）、印刷部１１１が、当該ジョブに基づいて印刷物を印刷する（ステップＳ１９）。
【００８６】
以上説明したように、第１実施形態の画像処理システム１００は、特定部１０６が、出席者情報と、受講者情報と、から欠席者情報を特定する。ジョブ制御部１０７が、授業に出席した出席者に配布される印刷物を印刷する出席者ジョブを生成して、出席者ジョブを実行し、当該印刷物を印刷する欠席者ジョブを欠席者毎に生成する。確認部１０８が、今、出席者が出席している授業よりも前に行われた他の授業を、出席者が欠席したときに生成された欠席者ジョブがあるか否かを確認する。そしてジョブ制御部１０７が、他の授業の欠席者ジョブがある場合、当該欠席者ジョブを実行する。
【００８７】
これにより第１実施形態の画像処理システム１００によれば、授業に関する印刷物等を、より簡易な構成で授業の欠席者に確実に配布することができる。例えば欠席者の自宅等にネットワークに接続されたプリンタ等の画像処理装置がなくても、欠席した授業の印刷物を受講者に確実に配布することができる。
【００８８】
また第１実施形態の画像処理システム１００によれば、受講者が授業に出席したときに、当該受講者が他の授業を欠席したときに生成された欠席者ジョブがあるか否かが確認されるので、欠席した授業の印刷物を、より迅速に受講者に配布することができる。例えば１週間に１度しかない授業を欠席した場合であっても、受講者が他の授業に出席したときに、欠席した授業の印刷物を受け取ることができる。
【００８９】
（第２実施形態）
次に第２実施形態について説明する。第２実施形態の画像処理システム１００は、第１実施形態の画像処理システム１００の構成に、更にサーバ装置が追加されている。
【００９０】
はじめに第２実施形態の画像処理システム１００の構成について説明する。
【００９１】
図１２は第２実施形態の画像処理システム１００の構成の例を示す図である。第２実施形態の画像処理システム１００は、画像処理装置１０−１、画像処理装置１０−２、・・・、及び画像処理装置１０−Ｎ（Ｎは１以上の整数）、並びに、端末２０−１、端末２０−２、・・・、及び端末２０−Ｓ（Ｓは１以上の整数）、並びに、サーバ装置３０を備える。画像処理装置１０及び端末２０については、第１実施形態の説明と同様なので説明を省略する。サーバ装置３０は、第１実施形態で説明した親機の画像処理装置１０−１の一部の機能を担う。
【００９２】
第２実施形態のサーバ装置３０の機能構成について説明する。
【００９３】
図１３は第２実施形態のサーバ装置３０の機能構成の例を示す図である。第２実施形態のサーバ装置３０は、記憶部３０１、通信部３０２、検索部３０３及び確認部３０４を備える。すなわち第２実施形態の画像処理ステム１００では、第１実施形態の親機の画像処理装置１０−１に設けられていた検索部１０９及び確認部１０８が、検索部３０３及び確認部３０４としてサーバ装置３０に設けられている。
【００９４】
記憶部３０１は欠席者ジョブを記憶する。欠席者ジョブの説明は、第１実施形態と同じなので省略する。また記憶部３０１は、受講者情報（表１参照）、性能情報（表２参照）、及び、時間割情報（表３参照）を記憶する。受講者情報、性能情報及び時間割情報の説明は、第１実施形態と同じなので省略する。すなわち第１実施形態の親機の画像処理装置１０−１に記憶されていた受講者情報、性能情報及び時間割情報が、サーバ装置３０の記憶部３０１に記憶されている。
【００９５】
通信部３０２は、ネットワーク５０に接続された他の装置と通信する。通信部３０２は、例えば画像処理装置１０から、受講者情報の送信要求、欠席者ジョブの記憶要求、他の授業の欠席者ジョブの検索要求、他の授業の欠席者ジョブの実行通知、及び、自装置で使用できない印刷設定を使用可能な画像処理装置１０の検索要求等を受信する。
【００９６】
検索部３０３は、通信部３０２が、画像処理装置１０から、自装置で使用できない印刷設定を使用可能な画像処理装置１０の検索要求を受信したときに、当該画像処理装置１０を性能情報から検索する。
【００９７】
確認部３０４は、通信部３０２が、画像処理装置１０から、他の授業の欠席者ジョブの検索要求を受信したときに、出席者が欠席した他の授業の欠席者ジョブが記憶部３０１に記憶されているか否かを確認する。
【００９８】
次に第２実施形態の画像処理方法の第１の例について説明する。
【００９９】
図１４は第２実施形態の画像処理方法の第１の例を示すシーケンス図である。はじめに、画像処理装置１０−１の読取部１０４が、講師Ａの授業の出席簿をイメージデータとして読み取る（ステップＳ３１）。次に、画像処理装置１０−１の通信部１１０が、当該イメージデータに含まれる授業名及び出席者の認識要求を画像処理装置１０−２に送信する（ステップＳ３２）。次に、画像処理装置１０−２の認識部１０５が、当該イメージデータから授業名と出席者とを示す出席者情報を認識する（ステップＳ３３）。次に、画像処理装置１０−２の通信部１１０が、当該出席者情報を画像処理装置１０−１に送信する（ステップＳ３４）。このように、第２実施形態の画像処理システム１００は、複数の画像処理装置１０を連携させることによって、画像処理を行ってもよい。これにより画像処理システム１００にかかる画像処理の負荷が分散される等の効果を得ることができる。
【０１００】
次に、画像処理装置１０−１の通信部１１０が、出席者情報の授業名により特定される授業の受講者情報の送信要求をサーバ装置３０に送信する（ステップＳ３５）。次に、サーバ装置３０が、当該受講者情報を記憶部３０１から取得する（ステップＳ３６）。次に、サーバ装置３０の通信部３０２が、当該受講者情報を画像処理装置１０−１に送信する（ステップＳ３７）。
【０１０１】
次に、画像処理装置１０−１の特定部１０６が、受講者情報の受講者氏名と、出席者情報の出席者氏名と、を比較することにより、当該授業の欠席者を示す欠席者情報を特定する（ステップＳ３８）。次に、画像処理装置１０−１の表示制御部１０２が、出席者情報から特定される出席者の人数と、欠席者情報から特定される欠席者の人数と、出席者の人数分の印刷物を印刷するか否かを確認するメッセージと、を含む第１の確認画面情報（図５参照）を表示部１０３に表示する（ステップＳ３９）。
【０１０２】
次に、画像処理装置１０−１の表示制御部１０２が、印刷方法選択画面情報（図６参照）を表示部１０３に表示し、印刷方法（コピー又はプリント）の選択を示す入力を受け付ける（ステップＳ４０）。次に、画像処理装置１０−１の表示制御部１０２が、表示部１０３で印刷設定を示す入力を受け付ける（ステップＳ４１）。なお印刷設定を示す入力がなかった場合、画像処理装置１０−１のデフォルトの印刷設定が使用される。
【０１０３】
次に、画像処理装置１０−１のジョブ制御部１０７が、紙面等の記録媒体に記憶された原稿から読み取られたイメージデータ、又は、電子データの原稿から、印刷物を出席者の人数分、印刷する出席者ジョブを生成し、当該印刷物を印刷する欠席者ジョブを欠席者毎に生成する（ステップＳ４２）。次に、画像処理装置１０−１の通信部１１０が、欠席者ジョブの記憶要求をサーバ装置３０に送信する（ステップＳ４３）。次に、サーバ装置３０の通信部３０２は、画像処理装置１０−１から欠席者ジョブの記憶要求を受信すると、当該欠席者ジョブを記憶部３０１に記憶する（ステップＳ４４）。
【０１０４】
次に、画像処理装置１０−１の通信部１１０が、出席者が他の授業を欠席したときに生成された欠席者ジョブの検索要求を、サーバ装置３０に送信する（ステップＳ４５）。次に、サーバ装置３０の確認部３０４が、出席者が他の授業を欠席したときに生成された他の授業の欠席者ジョブが記憶部３０１に記憶されているか否かを確認する（ステップＳ４６）。次に、サーバ装置３０の通信部３０２が、ステップＳ４６による確認結果を画像処理装置１０−１に送信する（ステップＳ４７）。
【０１０５】
次に、画像処理装置１０−１のジョブ制御部１０７が、ステップＳ４２で生成された出席者ジョブを実行する（ステップＳ４８）。次に、画像処理装置１０−１の印刷部１１１が、ステップＳ４８で実行された出席者ジョブに基づいて、講師Ａの宿題等の印刷物を出席者の人数分、印刷する（ステップＳ４９）。
【０１０６】
次に、ステップＳ４７で他の授業の欠席者ジョブがサーバ装置３０から送信され、かつ、当該他の授業の欠席者ジョブが実行されることにより印刷される印刷物を印刷する場合、画像処理装置１０−１のジョブ制御部１０７が、当該他の授業の欠席者ジョブを実行する（ステップＳ５０）。例えば講師Ａの授業に出席した出席者Ｂが、講師Ｃの授業を欠席したときに生成された欠席者ジョブが、ステップＳ５０で実行される。
【０１０７】
次に、画像処理装置１０−１の通信部１１０が、講師Ａの授業の出席者が、他の授業を欠席したときに生成された欠席者ジョブが実行されたことを示す実行通知を、サーバ装置３０に送信する（ステップＳ５１）。例えば講師Ａの授業に出席した出席者Ｂが、講師Ｃの授業を欠席したときに生成された欠席者ジョブが実行されたことを示す実行通知が、ステップＳ５１で送信される。
【０１０８】
次に、サーバ装置３０の通信部３０２が、画像処理装置１０−１からステップＳ５１で送信された実行通知を受信すると、ステップＳ５０で実行された欠席者ジョブを記憶部３０１から削除する（ステップＳ５２）。例えば講師Ａの授業に出席した出席者Ｂが、講師Ｃの授業を欠席したときに生成された欠席者ジョブが、ステップＳ５３で削除される。
【０１０９】
次に、画像処理装置１０−１の印刷部１１１が、ステップＳ５０で実行された他の授業の欠席者ジョブに基づいて、他の授業の印刷物を印刷する（ステップＳ５３）。例えば講師Ａの授業に出席した出席者Ｂが、講師Ｃの授業を欠席したときに生成された欠席者ジョブに基づいて、出席者Ｂに出された講師Ｃの宿題等の印刷物が、ステップＳ５３で印刷される。
【０１１０】
次に第２実施形態の画像処理方法の第２の例について説明する。第２の例の説明では、自装置で使用できない印刷設定を含むジョブがある場合について説明する。
【０１１１】
図１５は第２実施形態の画像処理方法の第２の例を示すシーケンス図である。図１５は、第１の例で説明したステップＳ３１〜Ｓ４７の処理（図１４参照）が行われた後のシーケンスを示す。図１５の例では、受講者が欠席した他の授業（講師Ｃの授業）の欠席者ジョブに、自装置にない印刷設定（カラー印刷）が含まれている場合について説明する。
【０１１２】
画像処置装置１０−１の通信部１１０が、出席者ジョブ、及び、受講者が欠席した他の授業の欠席者ジョブの少なくとも一方に、自装置にない印刷設定が含まれている場合、当該印刷設定を使用可能な画像処理装置１０の検索要求をサーバ装置３０に送信する（ステップＳ６１）。
【０１１３】
次に、サーバ装置３０の検索部３０３が、記憶部３０１に記憶された性能情報（表２参照）から、当該印刷設定を使用可能な１以上の画像処理装置１０を検索する（ステップＳ６２）。次に、サーバ装置３０の通信部３０２が、ステップＳ６２の検索結果を画像処理装置１０に送信する（ステップＳ６３）。
【０１１４】
次に、画像処理装置１０−１の表示制御部１０２が、自装置で使用できない印刷設定を使用可能な画像処理装置情報を示す画像処理装置選択画面情報（図９参照）を表示部１０３に表示する（ステップＳ６４）。以下、画像処理装置１０−２を示す画像処理装置情報が選択された場合について説明する。
【０１１５】
次に、画像処理装置１０−１の通信部１１０が、受講者が欠席した他の授業の欠席者ジョブを画像処理装置１０−２に送信する（ステップＳ６５）。次に、画像処理装置１０−１の通信部１１０が、ステップＳ６４で選択された画像処理装置情報を、自装置で印刷できない印刷物を受け取る受講者の端末２０に送信する（ステップＳ６６）。画像処理装置情報は、例えば画像処理装置１０−２の装置名、場所及びＩＰアドレス等である。次に、端末２０の表示部２０３が、ステップＳ６６で画像処理装置１０−１から送信された画像処理装置情報を表示する（ステップＳ６７）。
【０１１６】
次に、画像処理装置１０−２のジョブ制御部１０７が、ステップＳ６５で画像処理装置１０−１から送信された、受講者が欠席した他の授業の欠席者ジョブを実行する（ステップＳ６８）。次に、画像処理装置１０−２の通信部１１０が、受講者が欠席した他の授業の欠席者ジョブが実行されたことを示す実行通知をサーバ装置３０に送信する（ステップＳ６９）。次に、サーバ装置３０の通信部３０２が、画像処理装置１０−２からステップＳ６９で送信された実行通知を受信すると、ステップＳ６８で実行された欠席者ジョブを記憶部３０１から削除する（ステップＳ７０）。次に、画像処理装置１０−２の印刷部１１１が、ステップＳ６８で実行された他の授業の欠席者ジョブに基づいて、他の授業（講師Ｃの授業）の印刷物をカラー印刷する（ステップＳ７１）。
【０１１７】
一方、画像処理装置１０−１のジョブ制御部１０７は、ステップＳ４２で生成された出席者ジョブを実行する（ステップＳ７２）。次に、画像処理装置１０−１の印刷部１１１が、ステップＳ７２で実行された出席者ジョブに基づいて、講師Ａの宿題等の印刷物を出席者の人数分、モノクロ印刷する（ステップＳ７３）。
【０１１８】
以上説明したように、第２実施形態の画像処理システム１００によれば、第１実施形態の場合と同様の効果を得ることができる。また第２実施形態の画像処理システム１００によれば、画像処理システム１００に接続された他の画像処理装置１０により印刷された、授業に関する印刷物等を、授業の欠席者に配布することができる。
【０１１９】
次に第１及び第２実施形態の画像処理装置１０のハードウェア構成の例について説明する。
【０１２０】
図１６は第１及び第２実施形態の画像処理装置１０のハードウェア構成の例を示す図である。第１及び第２実施形態の画像処理装置１０は、コントローラ５０１、オペレーションパネル５０２、読取装置５０３及び印刷装置５０４を備える。
【０１２１】
コントローラ５０１は、ＣＰＵ５０５、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）５０６、メモリ５０７、ＨＤＤ５０８、ＮＩＣ（Ｎｅｔｗｏｒｋ  Ｉｎｔｅｒｆａｃｅ  Ｃａｒｄ）５０９及びＮＢ（Ｎｏｒｔｈｂｒｉｄｇｅ）５１０を備える。
【０１２２】
ＣＰＵ５０５は情報処理を行うＩＣ（Ｉｎｔｅｇｒａｔｅｄ  Ｃｉｒｃｕｉｔ）である。ＣＰＵ５０５は、上述の表示制御部１０２、認識部１０５、特定部１０６、ジョブ制御部１０７、確認部１０８及び検索部１０９に対応する。なお認識部１０５は、ＡＳＩＣ５０６により実現してもよい。ＡＳＩＣ５０６は画像処理を行うＩＣである。
【０１２３】
メモリ５０７は主記憶装置である。ＨＤＤ５０８は、例えばコントローラ５０１を制御するプログラム、及び、認識データ（ＯＣＲデータ）等を記憶する。認識データは、例えば出席者情報である。ＨＤＤ５０８は、上述の記憶部１０１に対応する。
【０１２４】
ＮＩＣ５０９は、ネットワーク５０に接続された他の装置と通信する通信装置である。ＮＩＣ５０９は、上述の通信部１１０に対応する。
【０１２５】
オペレーションパネル５０２は、表示機能と入力機能とを備えた装置である。オペレーションパネル５０２は、上述の表示部１０３に対応する。
【０１２６】
読取装置５０３は、紙面等の記録媒体からイメージデータを読み取る装置である。読取装置５０３は、上述の読取部１０４に対応する。
【０１２７】
印刷装置５０４は、原稿の印刷を行い、印刷物を出力する装置である。印刷装置５０４は、上述の印刷部１１１に対応する。
【０１２８】
次に第１及び第２実施形態の端末２０及びサーバ装置３０のハードウェア構成の例について説明する。
【０１２９】
図１７は第１及び第２実施形態の端末２０及びサーバ装置３０のハードウェア構成の例を示す図である。第１及び第２実施形態の端末２０及びサーバ装置３０は、制御装置６０１、主記憶装置６０２、補助記憶装置６０３、表示装置６０４、入力装置６０５及び通信装置６０６を備える。制御装置６０１、主記憶装置６０２、補助記憶装置６０３、表示装置６０４、入力装置６０５及び通信装置６０６は、バス６１０を介して接続されている。端末２０は、例えばスマートデバイス及びパーソナルコンピュータ等である。同様に、サーバ装置３０は、例えばスマートデバイス及びパーソナルコンピュータ等である。
【０１３０】
制御装置６０１は補助記憶装置６０３から主記憶装置６０２に読み出されたプログラムを実行する。主記憶装置６０２はＲＯＭ及びＲＡＭ等のメモリである。補助記憶装置６０３はメモリカード及びＳＳＤ（Ｓｏｌｉｄ  Ｓｔａｔｅ  Ｄｒｉｖｅ）等である。図１０の記憶部２０１は、主記憶装置６０２及び補助記憶装置６０３に対応する。同様に、図１３の記憶部３０１は、主記憶装置６０２及び補助記憶装置６０３に対応する。
【０１３１】
表示装置６０４は情報を表示する。表示装置６０４は、例えば液晶ディスプレイである。入力装置６０５は、情報の入力を受け付ける。入力装置６０５は、例えばキーボード等である。なお表示装置６０４及び入力装置６０５は、表示機能と入力機能とを有する液晶タッチパネル等でもよい。通信装置６０６は他の装置と通信する。
【０１３２】
画像処理装置１０、端末２０及びサーバ装置３０で実行されるプログラムは、インストール可能な形式又は実行可能な形式のファイルでＣＤ−ＲＯＭ、メモリカード、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記憶されてコンピュータ・プログラム・プロダクトとして提供される。
【０１３３】
また画像処理装置１０、端末２０及びサーバ装置３０で実行されるプログラムを、インターネット等のネットワークに接続されたコンピュータ上に格納し、ネットワーク経由でダウンロードさせることにより提供するように構成してもよい。また画像処理装置１０、端末２０及びサーバ装置３０が実行するプログラムを、ダウンロードさせずにインターネット等のネットワーク経由で提供するように構成してもよい。
【０１３４】
また画像処理装置１０、端末２０及びサーバ装置３０のプログラムを、ＲＯＭ等に予め組み込んで提供するように構成してもよい。
【０１３５】
画像処理装置１０、端末２０及びサーバ装置３０で実行されるプログラムは、上述した各機能ブロックのうち、プログラムにより実現可能な機能ブロックを含むモジュール構成となっている。プログラムにより実現可能な機能ブロックは、例えば表示制御部１０２、認識部１０５、特定部１０６、ジョブ制御部１０７、確認部１０８（３０４）、検索部１０９（３０３）及び通信部１１０（２０２，３０２）等である。
【０１３６】
画像処理装置１０の場合、プログラムにより実現される機能ブロックは、ＣＰＵ５０５がＨＤＤ５０８等の記憶媒体からプログラムを読み出して実行することにより、プログラムにより実現される機能ブロックがメモリ５０７にロードされる。すなわちプログラムにより実現される機能ブロックは、メモリ５０７上に生成される。
【０１３７】
端末２０及びサーバ装置３０の場合、プログラムにより実現される機能ブロックは、制御装置６０１が補助記憶装置６０３等の記憶媒体からプログラムを読み出して実行することにより、プログラムにより実現される機能ブロックが主記憶装置６０２にロードされる。すなわちプログラムにより実現される機能ブロックは、主記憶装置６０２上に生成される。
【０１３８】
なおプログラムにより実現可能な機能ブロックの一部又は全部を、プログラムにより実現せずに、ＩＣ等のハードウェアにより実現してもよい。
【符号の説明】
【０１３９】
１０  画像処理装置
２０  端末
３０  サーバ装置
５０  ネットワーク
１００  画像処理システム
１０１  記憶部
１０２  表示制御部
１０３  表示部
１０４  読取部
１０５  認識部
１０６  特定部
１０７  ジョブ制御部
１０８  確認部
１０９  検索部
１１０  通信部
１１１  印刷部
２０１  記憶部
２０２  通信部
２０３  表示部
２０４  入力部
３０１  記憶部
３０２  通信部
３０３  検索部
３０４  確認部
【先行技術文献】
【特許文献】
【０１４０】
【特許文献１】特開２０１２−２０９８６７号公報
【図１】
2016173770.tif 000008
【図２】
2016173770.tif 000009
【図３】
2016173770.tif 000010
【図４】
2016173770.tif 000011
【図５】
2016173770.tif 000012
【図６】
2016173770.tif 000013
【図７】
2016173770.tif 000014
【図８】
2016173770.tif 000015
【図９】
2016173770.tif 000016
【図１０】
2016173770.tif 000017
【図１１】
2016173770.tif 000018
【図１２】
2016173770.tif 000019
【図１３】
2016173770.tif 000020
【図１４】
2016173770.tif 000021
【図１５】
2016173770.tif 000022
【図１６】
2016173770.tif 000023
【図１７】
2016173770.tif 000024